(57)【要約】 リーンアクチュエータの小形化を図る。シーソーバー２０は、長手方向の中心２０ｃにおいて車体１６に相対回動可能に保持され、両端部２０Ｌ，Ｒにおいて左側車輪１０，右側車輪１２を伸縮可能な状態で保持する。シーソーバー２０と車体１６との間には、リーンアクチュエータ５０が設けられる。リーンアクチュエータ５０のハウジング６０は車体１６に保持され、出力軸５８がシーソーバー２０に固定される。出力軸５８が回転させられると、シーソーバー２０が回動させられ、車体２０が傾斜させられる。シーソーバー２０によりシーソーバー２０に作用する力が、左側車輪１０、右側車輪１２に分配されるため、リーンアクチュエータ５０を、出力が小さいものとすることができ、その分、小形化を図ることができる。
2012049724.tif 000002
【特許請求の範囲】
【請求項１】
長手形状を成し、車両の幅方向に離間して設けられた左側車輪および右側車輪を、それぞれ、上下方向の相対移動を許容する状態で保持する左右輪保持部材と、
その左右輪保持部材と前記車両の車体との間に設けられ、それら前記左右輪保持部材と前記車体とを相対回動させることにより、少なくとも前記車体を路面の法線に対して左右方向に傾斜させるリーンアクチュエータと
を含むとともに、前記リーンアクチュエータの出力軸が前記左右輪保持部材に固定され、かつ、前記リーンアクチュエータの本体に前記車体が固定されたことを特徴とする車体傾斜装置。
【請求項２】
前記左側車輪および右側車輪が、それぞれ、ストラットを介して前記左右輪保持部材に保持されるとともに、リーディングアームを介して前記車体に保持された請求項１に記載の車体傾斜装置。
【請求項３】
前記左右輪保持部材が、前記車両の幅方向に、直線状に延びた左右輪保持バーである請求項１または２に記載の車体傾斜装置。
【請求項４】
前記左側車輪および前記右側車輪が、それぞれ、ストラットを介して前記左右輪保持部材に保持され、その左右輪保持部材が、車両の正面から見た場合に湾曲した形状を成し、かつ、前記左右輪保持部材と前記車体との相対回動位置が中立位置である場合に、前記左右輪保持部材の前記左側車輪および右側車輪の前記ストラットの各々との係合部が、前記リーンアクチュエータの出力軸との固定部より上方に位置する姿勢で配設された請求項１ないし３のいずれか１つに記載の車体傾斜装置。
【請求項５】
当該車体傾斜装置が、前記リーンアクチュエータが正常に作動できない場合に、前記リーンアクチュエータの中立位置で、前記リーンアクチュエータをロックするリーンロック装置を含む請求項１ないし４のいずれか１つに記載の車体傾斜装置。
【請求項６】
前記出力軸の前記中立位置に対応する位置を中心とする回転角度が、それぞれ、両方向に１８０°以下とされ、前記リーンロック装置が、前記出力軸の前記中立位置に対応する位置で、前記出力軸のロックする回転ロック部を含む請求項５に記載の車体傾斜装置。
【請求項７】
前記リーンロック装置が、(a)退避位置と作用位置とに移動可能な少なくとも１つのロック部材と、(b)それら少なくとも１つのロック部材を前記作用位置へ向かう方向に付勢する付勢部材と、(c)前記リーンアクチュエータが正常である場合に、前記少なくとも１つのロック部材を前記付勢部材の付勢力に抗して前記退避位置に保持し、前記リーンアクチュエータが正常に作動できない場合に、前記少なくとも１つのロック部材の前記作用位置への移動を許容するリーンロックアクチュエータとを含む請求項５または６に記載の車体傾斜装置。
【請求項８】
前記出力軸が周方向に並んだ状態で互いに半径が異なる大径部と小径部とを備え、前記リーンロック装置が２つのロック部材を含み、それら２つのロック部材の各々が、ハウジングの、前記出力軸が前記中立位置に対応する位置にある状態で、前記出力軸の前記大径部の両側に対応する位置において移動可能に保持された請求項７に記載の車体傾斜装置。
【請求項９】
前記出力軸がそれの外周部に設けられた１つの凹部を含み、前記リーンロック装置が１つのロック部材を含み、その１つのロック部材が、ハウジングの、前記出力軸が前記中立位置に対応する位置にある状態で、前記凹部に嵌合可能な位置において移動可能に保持された請求項７に記載の車体傾斜装置。
【請求項１０】
前記リーンロックアクチュエータが、前記少なくとも１つのロック部材に駆動力を付与するソレノイドを含む請求項７ないし９のいずれか１つに記載の車体傾斜装置。
【発明の詳細な説明】
【技術分野】
【０００１】
本発明は、少なくとも車体を左右方向に傾斜させる車体傾斜装置に関するものである。
【背景技術】
【０００２】
特許文献１には、(a)車体傾斜装置と、(b)その車体傾斜装置の本体と車輪との間の上下方向の相対移動を許容する状態と阻止する状態とに切り換え可能なスライドロック装置とを含む車両が記載されている。車体傾斜装置は、リーンアクチュエータとしての電動モータとねじ機構とを含むが、電動モータに電流が供給されない場合には、ねじ機構がロックし、車体傾斜装置が作動不能な状態とされる。車体傾斜装置が正常である場合には、スライドロック装置がロック状態とされ、車体傾斜装置の作動に伴って車輪も傾斜させられるが、車体傾斜装置が異常である場合には、電動モータに電流が供給されなくなり、かつ、スライドロック装置がアンロック状態とされる。車両の自重により、車体傾斜装置の本体と車輪とが上下方向に相対移動させられ、車体の姿勢がほぼ水平な姿勢に戻される。
特許文献２には、車輪を回転駆動する回転駆動装置と、運転者が乗る搭乗部を前後方向に移動させる搭乗部移動装置とを含む車両が記載されている。この車両において、搭乗部移動装置の異常時に回転駆動装置が制御され、回転駆動装置の異常時に搭乗部移動装置が制御される。それにより、運転者の乗り心地の低下を抑制することができる。
特許文献３には、トーションバーの両側に設けられたアクチュエータのうちの一方の作動により車体を傾斜させる傾斜装置が記載されている。そして、一方のアクチュエータの異常時には、他方のアクチューエータを作動させて、車体の傾斜角度が小さくされる。
特許文献４には、車両の旋回に起因する傾斜を許容したり抑制したりする傾斜制御装置が記載されている。傾斜制御装置は、液圧を利用するものであり、ダンパ等を含む。
【先行技術文献】
【特許文献】
【０００３】
【特許文献１】特開２００９−２１４８５７号公報
【特許文献２】特開２００９−４０３８１号公報
【特許文献３】特開２００９−１８４６２９号公報
【特許文献４】特開２０１０−５２７２８号公報
【発明の開示】
【発明が解決しようとする課題】
【０００４】
本発明の課題は、車体傾斜装置の改良であり、例えば、車体傾斜装置に含まれるリーンアクチュエータの小形化を図ることである。
【課題を解決するための手段および効果】
【０００５】
本願発明に係る車体傾斜装置は、(a)左側車輪および右側車輪を上下方向に伸縮可能に保持する左右輪保持部材と、(b)左右輪保持部材と車体とを相対回動させることにより、少なくとも車体を路面の法線に対して左右方向に傾斜させるリーンアクチュエータとを含むものである。
リーンアクチュエータにより左右輪保持部と車体とが相対回動させられることにより、少なくとも車体が路面の法線に対して左右方向に傾斜させられる。例えば、車両（乗り物）の旋回中に、車体を旋回内側に傾斜させれば、旋回内側に傾斜させない場合に比較して、車両の重心の位置をより旋回内側とすることができ、その分、旋回安定性の低下を抑制することができる。
特に、トレッドが車体の重心の高さ（上下方向の長さ）に対して小さい車両において、旋回安定性の低下を良好に抑制することができる。
また、左右輪保持部材には、リーンアクチュエータを介して車体（フレーム、その他の装置等）の少なくとも一部の荷重が加えられるが、左右輪保持部材に加えられる荷重は、左側車輪と右側車輪とによって支持される。そのため、リーンアクチュエータの出力軸に加えられる荷重を低減させることができ、リーンアクチュエータを、出力を小さいものとすることができ、リーンアクチュエータの小形化を図ることができる。
【特許請求可能な発明】
【０００６】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付して記載する。これは、あくまでも請求可能発明の理解を容易にするためであり、請求可能発明を構成する構成要素を、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００７】
(１)長手形状を成し、車両の幅方向に離間して設けられた左側車輪および右側車輪を、それぞれ、上下方向の相対移動を許容する状態で保持する左右輪保持部材と、
その左右輪保持部材と前記車両の車体との間に設けられ、それら前記左右輪保持部材と前記車体とを相対回動させることにより、少なくとも前記車体を路面の法線に対して左右方向に傾斜させるリーンアクチュエータと
を含むとともに、前記リーンアクチュエータの出力軸が前記左右輪保持部材に固定され、かつ、前記リーンアクチュエータの本体に前記車体が固定されたことを特徴とする車体傾斜装置。
左右輪保持部材は、左側車輪と右側車輪とを連結するものであり、左右輪保持部材に加えられる荷重が、左側車輪と右側車輪とに分配される。その意味において、左右輪保持部材を、左右輪連結部材、シーソー部材と称することができる。
リーンアクチュエータの出力軸は回転軸であり、左右輪保持部材に相対回転不能に取り付けられる（固定される）。また、リーンアクチュエータの本体には、車体が相対回動不能に取り付けられる（固定される）。リーンアクチュエータの出力軸の回転により、左右輪保持部材と車体とが相対回動させられるのであり、車体が路面の法線に対して左右方向に傾斜させられる。
なお、本項に記載の車体傾斜装置において、少なくとも車体が路面の法線に対して傾斜させられるのであるが、車輪については、路面の法線に対して傾斜させられる場合とそうでない場合とがある。また、車輪も傾斜させられる場合において、車体の路面の法線に対する傾斜角度と車輪の路面の法線に対する傾斜角度とは同じ場合とそうでない場合とがある。車体の路面の法線に対する傾斜角度とは、リーンアクチュエータが中立位置にある状態で車両が水平な路面にあり、かつ、車体が水平（路面に対して平行）である場合の、車体の一点（例えば、重心とすることができる）を通る鉛直線（以下、車体の上下方向を規定する上下方向線と称する場合がある）と路面の法線との間の角度であり、車輪の路面の法線に対する傾斜角度とは、上述の場合における車輪の回転面に平行であって概して上下方向に延びる線と、路面の法線との間の角度である。車輪の路面の法線に対する傾斜角度は、中立位置において０°でない場合もある。
(２)長手形状を成し、中間部において、車両の車体に相対回動可能に保持される一方、両端部において、左側車輪および右側車輪を、それぞれ、上下方向の相対移動を許容する状態で保持する左右輪保持部材と、
その左右輪保持部材を、前記車体に対して相対回動させることにより、少なくとも前記車体を路面の法線に対して左右方向に傾斜させるリーンアクチュエータと
を含むとともに、前記左右輪保持部材が前記リーンアクチュエータの出力軸に固定され、かつ、前記リーンアクチュエータの本体が前記車体に固定されたことを特徴とする車体傾斜装置。
リーンアクチュエータは、本体において車体に相対回転不能に保持され、出力軸には、左右輪保持部材が、それの中間部において相対回転不能に設けられる。左右輪保持部材は、リーンアクチュエータを介して車体に保持されることになる。
(３)前記左側車輪および右側車輪は、それぞれ、ストラットを介して前記左右輪保持部材に保持されるようにすることができる。
ストラットは、互いに並列に設けられたショックアブソーバとスプリングとを含むものとしたり、ショックアブソーバを含むものとしたりすることができる。
また、本項に記載の車体傾斜装置において、ストラットとリーンアクチュエータとが直列に設けられるため、サスペンションとリーンアクチュエータとを、それぞれ、別個に作動させることができる。
なお、左側車輪および右側車輪は、それぞれ、ストラットと左右輪保持部材とによって車体に連結されるため、ストラットと左右輪保持部材のアーム部とによってアッパアームが構成されると考えることもできる。アーム部とは、車輪との係合部の各々と、リーンアクチュエータの出力軸が固定された回動中心部（車体に対して相対回動可能に保持された部分）との間の部分をいう。
(４)前記左側車輪および右側車輪は、それぞれ、リーディングアームを介して前記車体に保持される。
左側車輪および右側車輪は、それぞれ、ロアアームとしてのリーディングアームを介して車体に揺動可能に保持される。そのため、左側車輪と右側車輪との間にスペースを設けることができる。スペースには、例えば、フットレスト、ペダル操作装置を配設することができる。なお、車体の形状によっては、左側車輪および右側車輪は、それぞれ、トレーディングアームを介して保持されるようにすることもでき、その場合であっても、左側車輪と右側車輪との間にスペースを設けることができる。
また、左側車輪および右側車輪は、それぞれ、ストラットおよび左右輪保持部材のアーム部を介して車体に連結されるとともに、リーディングアームを介して車体に連結される。左側車輪および右側車輪の各々のキャンバ角等の姿勢は、ストラットおよび左右輪保持部材のアーム部（アッパアームに対応）とリーディングアーム（ロアアーム）と、車体の姿勢とによって決まる。また、サスペンションジオメトリーは既知であるため、傾斜後の車輪のキャンバ角等の姿勢は、リーンアクチュエータの出力軸の回転角度、すなわち、車体のリーン角に応じて決まると考えることができる。
(５)前記左右輪保持部材は、前記車両の幅方向に直線状に延びた左右輪保持バーとすることができる。
(６)前記左右輪保持部材が、前記車両の正面から見た場合に湾曲した形状を成したものであり、かつ、前記左右輪保持部材と前記車体との相対回動位置が中立位置である場合に、前記左右輪保持部材の前記左側車輪および右側車輪の前記ストラットの各々との係合部が、それぞれ、前記リーンアクチュエータの出力軸との固定部より上方に位置する姿勢で設けられたものとすることができる。
左右輪保持部材は、車両の幅方向に延びた長手形状を成したものであるが、直線形状を成したものであっても、湾曲形状を成したものであってもよい。湾曲形状を成したものとしては、例えば、Ｖ字形状、Ｕ字形状を成したものが該当する。左右輪保持部材は、一体的に製造された部材であり、剛体とするのが普通である。
以下、直線形状を成した左右輪保持部材（以下、本項において直線状のバーと略称する）とＶ字形状を成した左右輪保持部材（以下、本項においてＶ字状のバーと略称する）とを比較して説明する。
車輪のトレッドが同じである車両において、直線状のバーを用いた場合とＶ字状のバーを用いた場合とで、左側車輪の係合部と右側車輪の係合部との間の距離は同じとされるのが普通である。
その場合には、直線状のバーよりＶ字状のバーの方が長手方向の長さが長くなるため、回動半径が大きくなる。そのため、リーンアクチュエータによる車体と左右輪保持部材との間の相対回動角度、すなわち、車体の路面の法線に対する傾斜角度が同じ場合に、左側車輪の係合部と右側車輪の係合部との上下方向の変位が、Ｖ字状のバーの方が小さくなる。その結果、Ｖ字状のバーを用いた方が、車高の変化量（車両の重心の変化量）を小さくすることができ、車体を旋回内側に傾斜させた場合の、運転者の乗り心地の低下を抑制することができる。
また、左側車輪の係合部、右側車輪の係合部の左右方向の変位が、Ｖ字状のバーの方が小さくなる。そのため、車体を旋回内側へ傾斜させた場合の車輪のキャンバ角の変化量が、Ｖ字状のバーを用いた方が小さくなる。すなわち、車体の路面の法線に対して傾斜角度が同じである場合に、キャンバ角を小さくすることができ、キャンバ角が過大になることを回避し、適切な大きさとすることができる。
(７)当該車体傾斜装置が、前記リーンアクチュエータを制御するリーンアクチュエータ制御装置を含むものとすることができる。
リーンアクチュエータは、例えば、車両の旋回時に車体が旋回内側に傾斜するように制御されるようにすることができる。また、左側車輪に加えられる荷重と右側車輪に加えられる荷重とがほぼ同じになるように制御されるようにすることができる。例えば、旋回中、車体には、遠心力と重力との合力が作用し、その合力の少なくとも一部が左右輪保持部材に加えられる。その左右輪保持部材に加えられる力が、左側車輪、右側車輪に同じように分配されるようにすることができるのである。
また、合力の作用線が、正面から見た場合に、左側車輪と右側車輪との間の、予め定められた範囲内において交差するように制御されるようにすることもできる。この場合には、左側車輪、右側車輪に加えられる荷重は同じになるとは限らない。例えば、合力の作用線が、車両に設けられた車輪（３輪以上）と路面との接地点を結んで得られる領域の内部において交差するように、制御されるようにすることができるのである。
(８)前記リーンアクチュエータが、電動モータと減速器とを含むものとすることができる。
減速器を設けることは不可欠ではないが、減速器を設けた方が、電動モータの設計の自由度を向上させることができる。電動モータはリーンモータと称することができる。
(９)当該車体傾斜装置が、前記リーンアクチュエータが正常に作動できない場合に、前記リーンアクチュエータの中立位置で、前記リーンアクチュエータをロックするリーンロック装置を含むものとすることができる。
リーンアクチュエータが正常に作動できない場合とは、(a)リーンアクチュエータに含まれる電動モータの故障、断線等、リーンアクチュエータが異常である場合、(b)リーンアクチュエータに電流を供給する電源の異常等、電気系統が異常である場合、(c)リーンアクチュエータを制御するＥＣＵ、あるいは、制御に利用されるセンサ等の異常等、制御系統が異常である場合等が該当する。
リーンアクチュエータの中立位置は、左側車輪および右側車輪の各々と車体との間の中立位置、すなわち、左右輪保持部材と車体との中立位置に対応する。左側車輪および右側車輪の各々と車体との間の相対位置が中立位置である状態とは、車体が路面の法線に対して傾斜していない状態であり、水平な路面に車両が位置する場合に、車体の上下方向を規定する上下方向線と路面の法線とが平行な状態（車体が水平な状態、左右輪保持部材が水平に延びた状態）である。この位置において、左右輪保持部材と車体との相対回動角度は０であり、リーンアクチュエータは中立位置にある。また、リーンアクチュエータの中立位置において、出力軸も中立位置にある。出力軸は、中立位置から両方向へ回転させられるのであり、車体を左方へ傾斜させる向きに回転させられたり、右方へ傾斜させる向きに回転させられたりする。
(１０)前記出力軸の、前記中立位置に対応する位置を中心とする回転角度が、それぞれ、両方向に１８０°以下とされ、前記リーンロック装置が、前記出力軸の前記中立位置に対応する位置で、前記出力軸をロックする回転ロック部を含むものとすることができる。
リーンロック装置は、左右輪保持部材と一体的に回動可能な軸、すなわち、出力軸に設けられる。出力軸は、いわゆる、１回転以上しないものであり、それの中立位置でロックされる。出力軸の中立位置から両方向への回転角度は、１５０°以下としたり、１２０°以下としたり、９０°以下としたりすること等ができる。
(１１)前記リーンロック装置は、前記出力軸の回転限度を規定するストッパを含むものとすることができる。
電動モータや減速器によって、出力軸が１回転以上しないようにすることも可能であるが、本項に記載の車体傾斜装置においては、ストッパを利用して、出力軸が１回転以上しないようにされる。
(１２)前記リーンロック装置が、(a)退避位置と作用位置とに移動可能な少なくとも１つのロック部材と、(b)それら少なくとも１つのロック部材を前記作用位置へ付勢する付勢部材と、(c)前記リーンアクチュエータが正常である場合に、前記少なくとも１つのロック部材を前記付勢部材の付勢力に抗して前記退避位置に保持し、前記リーンアクチュエータが正常に作動できない場合に、前記少なくとも１つのロック部材の前記作用位置への移動を許容するリーンロックアクチュエータとを含むものとすることができる。
ロック部材は出力軸の回転方向と交差する方向（半径方向）に相対移動可能に保持されるのであり、ロック部材の作用位置においてロック部材が出力軸と係合し、その出力軸の回転が阻止される。
また、ロック部材とストッパとによって出力軸の回転角度を制限することが可能となり、それによって、出力軸を早期に中立位置に戻すことが可能となる。
(１３)前記出力軸が、周方向に並んだ状態で互いに半径が異なる大径部と小径部とを備え、前記リーンロック装置が２つのロック部材を含み、それら２つのロック部材が、それぞれ、前記出力軸の中立位置において、その出力軸の前記大径部の両側に対応する位置において移動可能に保持される。
(１４)前記２つのロック部材は、それぞれ、互いに位相を隔てて、(i)前記出力軸が中立位置にある場合に作用位置に移動可能とされ、かつ、(ii)前記出力軸が中立位置にない場合に、一方のロック部材が作用位置へ移動可能とされ、他方のロック部材が前記出力軸の大径部により前記作用位置への移動が阻止される位置に保持される。
(１５)前記出力軸が、それの外周部に設けられた１つの凹部を含み、前記リーンロック装置が１つのロック部材を含み、その１つのロック部材が、前記出力軸の中立位置において、前記凹部に嵌合可能な位置において移動可能に保持される。
ロック部材は１つであっても２つ以上であってもよく、ロック部材と出力軸との係合により出力軸がロックされる。
ロック部材が２つ設けられる場合において、出力軸の中立位置において、大径部の両側において移動可能に保持される。出力軸の大径部の両側に、それぞれ、ロック部材が存在することにより、出力軸の回転を良好に阻止することができる。
また、ロック部材が２つ設けられる場合には、１つの場合と比較して、より確実に、出力軸の回転を阻止することができる。例えば、出力軸が中立位置になくても、２つのロック部材のうちの一方のロック部材を作用位置に移動させることができる。出力軸は、その一方のロック部材によって、その方向の回転が阻止されるのであり、中立位置を超えて反対側に回転させられることを阻止することが可能となる。また、出力軸が一方のロック部材に当接することにより、出力軸を中立位置に移動させることができ（中立位置に停止させ得る場合もある）、他方のロック部材を作用位置に移動させることができ、出力軸を中立位置にロックすることができる。
ロック部材が１つの場合には、２つの場合より、部品点数を少なくすることができる等のメリットがある。異常時に、出力軸がゆっくり中立位置に戻るようになっているリーンアクチュエータと組み合わせて用いることが望ましい。
(１６)前記リーンロックアクチュエータが、前記ロック部材に駆動力を付与するソレノイドを含むものとすることができる。
ソレノイドが励磁されることによりロック部材が退避位置に保持され、消磁されることにより作用位置への移動が許容されるようにすることができる。そのようにすれば、電気系統の異常時に、ソレノイドが消磁されることによりロック部材の作用位置への移動を許容することができる。電気系統の異常により、リーンアクチュエータが正常に作動できない場合に、ロック部材を作用位置へ移動させることができるのであり、リーンアクチュエータをロックすることができる。
なお、リーンアクチュエータは、シリンダを含むものとすることもできる。
(１７)前記リーンロックアクチュエータが、１つのロック部材に対して、互いに並列に配設された複数のコイルを含むものとすることができる。
(１８)前記複数のコイルに、互いに異なる電源が接続されるようにすることができる。
コイルが並列に複数設けられれば、複数のコイルのうちの１つに断線等の異常が生じても、複数の電源のうちの１つの異常に起因して１つのコイルに電流が供給されなくなっても、残りのコイルによりロック部材を退避位置に保持することが可能となる。それにより、リーンアクチュエータが正常であるにもかかわらず、リーンロック装置の異常に起因して、ロック部材が作用位置に移動させられ、リーンアクチュエータがロックされることを回避することができる。
このように、コイルや電源を複数設ければ、リーンロック装置の信頼性を向上させることができる。
【０００８】
(１９)車両の幅方向に隔たって設けられた左側車輪および右側車輪の各々と、前記車両の車体との間に設けられ、少なくとも、前記車体を路面の法線に対して左右方向に傾斜させるリーンアクチュエータと、
そのリーンアクチュエータが正常に作動できない場合に、前記左側車輪および前記右側車輪の各々と前記車体との間の相対位置が中立位置である状態で、前記リーンアクチュエータをロックするリーンロック装置と
を含むことを特徴とする車体傾斜装置。
リーンロック装置は、上述に記載のリーンアクチュエータに限らず、他の構造を成したリーンアクチュエータと組み合わせて用いることができる。また、リーンロック装置は、リーンアクチュエータの出力軸の回転により、車体を路面に対して左右方向に傾斜させるものに、適用することが望ましい。なお、リーンロック装置については、上述の各項に記載の特徴を採用することができる。
【図面の簡単な説明】
【０００９】
【図１】本発明の実施例１に係る車体傾斜装置全体を示す概略図である。
【図２】上記実施例に係る車体傾斜装置を含む乗り物の正面図（一部断面図）である。
【図３】上記乗り物のサスペンションを示す概略図である。
【図４】上記車体傾斜装置に含まれるリーンアクチュエータを概略的に示す図である。
【図５】上記車体傾斜装置に含まれるリーンロック装置のI-I断面図である。
【図６】上記リーン角ＥＣＵの記憶部に記憶されたリーン角制御プログラムを表すフローチャートである。
【図７】上記車体傾斜装置の作動による車体の姿勢の変化を示す図である。(a)は中立位置にある状態であり、(b)は傾斜した状態である。
【図８】上記リーンロック装置の作動状態を示す図である。(a)はアンロック状態を示す図であり、(b)は一方のロック部材が作用位置にある状態であり、(c)はロック状態そ示す図である。
【図９】本発明の実施例２に係る車体傾斜装置の作動による車体の姿勢の変化を示す図であり、実施例１に係る車体傾斜装置の作動による車体の姿勢の変化とを比較して示す図である。(a)は、実施例２に係る車体傾斜装置を搭載した車両の車体が中立位置にある場合の状態を示す図であり、(b)は、上記車体が傾斜させられた状態を示す図である。(c)は、実施例１に係る車体傾斜装置を搭載した車両の車体が中立位置にある場合の状態を示す図であり、(d) は、上記車体が傾斜させられた状態を示す図である。
【図１０】本発明の実施例３に係る車体傾斜装置に含まれるリーンロック装置のI-I断面図である。
【図１１】本発明の実施例４に係る車体傾斜装置に含まれるリーンロック装置のソレノイドの周辺を概念的に示す図である。
【発明の実施の形態】
【００１０】
以下、本発明の一実施形態としての車体傾斜装置について説明する。
車体傾斜装置は、図２に示す車両としての乗り物に搭載される。乗り物は、左右前輪１０，１２と１つの後輪１４とを含み、左右前輪１０，１２と車体１６との間に車体傾斜装置が設けられる。
なお、車体傾斜装置は、左右前輪と左右後輪とを含む４輪の乗り物に搭載したり、１つの前輪と左右後輪とを含む３輪の乗り物に搭載したりすることができる。車体傾斜装置は、左右後輪と車体との間に設けることもできる。
【実施例１】
【００１１】
＜シーソーバー＞
車体傾斜装置は、図１に示すように、左右輪保持部材としてのシーソーバー２０を含む。シーソーバー２０は、長手形状を成した一体的な部材であり、剛体とされることが多い。シーソーバー２０は、乗り物の左右方向（幅方向）に伸びたものであり、それの中間部（本実施例においては、長手方向の中点）２０Ｃにおいて、車体１６に相対回動可能に保持され、左側端部２０Ｌ，右側端部２０Ｒにおいて、それぞれ、左前輪１０，右前輪１２を伸縮可能に保持する。
左前輪１０，右前輪１２は、それぞれ、サスペンション２２を介して車体１６に保持される。サスペンション２２は、それぞれ、ロアアームとしてのリーディングアーム３０と、ストラット３２とを含む。リーディングアーム３０は、左右前輪１０，１２を相対回転可能に保持する車輪保持部３４の下部に連結され、ストラット３２は、車輪保持部３４の上部に連結されるのであり、これらリーディングアーム３０とストラット３２とは、車輪保持部３４の互いに離間した位置に連結される。
リーディングアーム３０は、図３に示すように、一端部において、車輪保持部３４にボールジョイントを介して相対回動可能に連結されるとともに、他端部において、車体１６に左右方向に延びる軸線回りに揺動可能に保持される。ストラット３２は、互いに並列に配設されたショックアブソーバ３６とスプリング３８とを含み、一端部において車輪保持部３４に固定されるとともに、他端部がシーソーバー２０の両端部２０Ｌ，２０Ｒにおいて、それぞれ、ピン４０Ｌ，Ｒによって前後方向に延びる軸線回りに相対回動可能に保持される。このように、ストラット３２は、シーソーバー２０を介して車体１６に保持されるのであり、ストラット３２とシーソーバー２０のアーム（中点２０Ｃと左側端部、右側端部２０Ｌ，Ｒの各々との間の部分）とによってアッパアームが構成されると考えることができる。
本実施例においては、ロアアームがリーディングアーム３０とされているため、左右前輪１０，１２の間にスペースを確保することができ、例えば、乗り物のペダル操作装置等を設置することが容易となる。【００１２】
＜リーンアクチュエータ＞
車体傾斜装置は、シーソーバー２０と車体１６との間に設けられたリーンアクチュエータ５０を含む。
リーンアクチュエータ５０は、図４に示すように、電動モータであるリーンモータ５２，減速器５４を含む。また、リーンアクチュエータ５０の出力軸５８としての回転軸は、ハウジング６０（図１参照）の内側に相対回転可能に保持される。リーンアクチュエータ５０において、電動モータ５２の出力軸の回転速度が減速器５４によって減速されて、出力軸５８によって出力されるのであるが、その出力軸５８がシーソーバー２０に固定される（相対回転不能に嵌合される）。リーンアクチュエータ５０の出力軸５８は、乗り物の前後方向に伸びた軸線Ａと平行に伸びたものであり、ハウジング６０も同様に、軸線Ａと平行に伸びたものである。ハウジング６０は、図１に示すように車体１６に固定される（相対回動不能に設けられる）。
そのため、リーンアクチュエータ５０の出力軸５８の回転により、シーソーバー２０と車体１６とが相対回動させられるのであり、シーソーバー２０および車体１６は、前後方向に延びた軸線Ａ回りに回動させられる。【００１３】
＜リーンロック装置＞
車体傾斜装置は、リーンアクチュエータ５０の出力軸５８の回転をロックするリーンロック装置６２を含む。
リーンロック装置６２は、図５に示すように、(1)ハウジング７０と、(2)ハウジング７０に、相対移動可能に保持された２つのロック部材７２，７４と、(3)ロック部材７２，７４を、それぞれ、駆動するリーンロックアクチュエータ７６，７８とを含む。【００１４】
［ハウジング等］
ハウジング７０は、例えば、リーンアクチュエータ５０のハウジング６０に固定（相対移動不能）的に設けられたものとしたり、ハウジング６０と共通のものとしたりすること等ができる。また、ハウジング７０は、複数の部材から構成されたものである。
ハウジング７０には、軸線Ａ方向に延びた貫通穴８４が形成され、貫通穴８４に、リーンアクチュエータ５０の出力軸５８が配設される。また、貫通穴８４に連通し、かつ、互いに位相が隔たった位置に、半径方向（出力軸５８の回転方向に交差する方向）に延びたロック部材係合穴８６，８８が形成され、それぞれ、ロック部材７２，７４が摺動可能に嵌合される。さらに、ハウジング７０は、ストッパ９０を含む。ストッパ９０は、出力軸５８の回転限度を規定するものであり、貫通穴８４において半径方向内方へ突出する半径方向突部から成る。【００１５】
一方、リーンアクチュエータ５０の出力軸５８は、半径が互いに異なる大径部９６と小径部９８とを含む断面形状を成したものであり、中立位置において、大径部９６がストッパ９０と対向する状態、すなわち、大径部９６の周方向の中心点とストッパ９０の周方向の中心点とが、中心角が１８０°隔たった状態とされる。出力軸５８は、中立位置から両方向に許容される回転角度が最大となる姿勢で配設される。出力軸５８の中立位置は、リーンアクチュエータ５０の中立位置に対応する。
そして、ストッパ９０である半径方向突部の内周側の端部は、小径部９８の外周と大径部９６の外周との間に位置し、ストッパ９０の両側面が、それぞれ、大径部９６と小径部９８との間の段部（両側）１００，１０２に当接可能とされている。そのため、段部１００，１０２がストッパ９０に当接することによって、出力軸５８の回転限度が規定されるのであり、本実施例においては、出力軸５８が、１回転以上できないように、換言すれば、出力軸５８の中立位置からの回転角度が１８０°以下、本実施例においては、１００°以下とされている。
なお、出力軸５８の中立位置において、車体１６の路面の法線に対する傾斜角度であるリーン角は０であり、乗り物が水平な路面に停止あるいは直進走行している状態で、シーソーバー２０も車体１６も水平な姿勢にある。図７(a)に示すように、この位置において、車体上の１点（例えば、重心）を通る鉛直線（以下、車体の上下方向を規定する上下方向線と称する）と路面の法線とが平行となる。この位置がシーソーバー２０と車体１６との中立位置、すなわち、左側車輪１０，右側車輪１２と車体１６との中立位置である。このように、出力軸５８の中立位置、リーンアクチュエータ５０の中立位置、シーソーバー２０と車体１６との中立位置、車輪１０，１２と車体１６との中立位置は、互いに対応する。【００１６】
［ロック部材］
また、ロック部材７２，７４は、長手形状を成したものであり、出力軸５８の半径方向に延びた（回転方向に交差する方向に延びた）姿勢で保持される。ロック部材７２，７４は、それぞれ、先端面１１０が、貫通穴８４の外周面より外側に位置する退避位置と、先端面１１０が、貫通穴８４の内部の、前記出力軸５８の大径部９６の外周面と小径部９８の外周面との間に位置する作用位置との間で相対移動可能とされる。
ロック部材７２，７４は、それぞれ、(i)出力軸５８の中立位置において、作用位置に移動可能な位置（出力軸５８の大径部９６の両側に係合可能な位置）、かつ、(ii)出力軸５８が中立位置から外れている場合に、一方のロック部材が作用位置に移動可能であり、他方のロック部材が出力軸５８の大径部９６の外周面に対向し、作用位置への移動が阻止される位置、換言すれば、出力軸５８が中立位置から外れている場合に、２つのロック部材嵌合穴８６，８８の一方が開放され、他方が大径部９６によって塞がれている位置に保持される。【００１７】
［リーンロックアクチュエータ］
リーンロックアクチュエータ７６，７８は、構造が同じものであるため、リーンロックアクチュエータ７６について説明して、リーンロックアクチュエータ７８については、同じ部材に同じ符号を付して、説明を省略する。リーンロックアクチュエータ７６，７８は、出力軸５８の回転をロックするものであるため、回転ロック部と称することもできる。
リーンロックアクチュエータ７６は、(a)ソレノイド１２０と、(b)ソレノイド１２０の駆動力をロック部材７２に伝達する駆動伝達部材１２２とを含む。
駆動伝達部材１２２は、概してＬ字状を成したものであり、中間の屈曲部において、ハウジング７０にピン１２３によって、軸線Ａと平行な軸線の回りに回動可能に保持される。また、一端部において、ソレノイド１２０の出力ロッド１２６に係合させられ、他端部において、ロック部材７２に係合させられる。駆動伝達部材１２２は、屈曲部の回りに回動可能に保持されるのに対して、出力ロッド１２６，ロック部材７２は、直線移動可能に保持されるため、これらの相対移動を許容する状態で、かつ、互いに力を伝達可能な状態で係合させられるのである。具体的には、駆動伝達部材１２２の一端部と出力ロッド１２６とにおいて、駆動伝達部材１２２の先端部に設けられた一対の互いに対向する部材から構成された把持部１３０が、出力ロッド１２６に設けられた突部１３２を、出力ロッド１２６の軸線Ｂと交差する方向の両側から挟み込む状態で係合させられる。それにより、突部１３２と駆動伝達部材１２２との、軸線Ｂと交差する方向への相対移動が許容され、かつ、互いに力が伝達可能とされる。また、駆動伝達部材１２２の他端部とロック部材７２とにおいて、ロック部材７２の後退側端部に設けられた長穴１３４に駆動伝達部材１２２の先端部に設けられたピン１３６が係合させられる。長穴１３４は、ロック部材７２の移動方向に対して交差する方向に伸びたものであり、長穴１３４においてピン１３６が相対移動可能とされ、かつ、ピン１３６と長穴１３４の側壁とにより、互いに力が伝達可能とされる。
また、屈曲部において、駆動伝達部材１２２とハウジング７０との間にスプリング１４２が設けられ、駆動伝達部材１２２を矢印Ｓ方向（ロック部材７２の前進方向）に付勢する。【００１８】
ソレノイド１２０が励磁されると、出力ロッド１２６が引き込まれる。駆動伝達部材１２２は、ピン１２３の回りに、スプリング１４２の付勢力に抗して矢印Ｒ方向に回動させられ、ロック部材７２が退避位置に移動させられる。ロック部材７２の先端面１１０は、貫通穴８４の外部にあり、出力軸５８の回転が許容される。
ソレノイド１２０が消磁されると、退避位置へ向かう方向（矢印Ｒ方向）の力が作用しなくなる。スプリング１４２の付勢力によって、駆動伝達部材１２２の矢印Ｓ方向の回動が許容され、ロック部材７２の作用位置への移動が許容される。【００１９】
＜ＥＣＵ＞
車体傾斜装置には、図４に示すように、リーン角制御ＥＣＵ１８０が設けられる。リーン角制御ＥＣＵ１８０は、コンピュータを主体とするものであり、入出力部、記憶部、実行部等が含まれる。また、入出力部には、図示しない操舵部材の操作量φを検出する操舵量センサ１８２，乗り物の走行速度Ｖを検出する車速センサ１８４、ヨーレイトγを検出するヨーレイトセンサ１８６、乗り物のメインスイッチ１８８等が接続されるとともに、リーンモータ５２，リーンロック装置６２のソレノイド１２０等が、図示しない駆動回路を介して接続される。【００２０】
＜車体傾斜装置の作動＞
本実施例においては、乗り物の旋回中に、車体１６が旋回内側に傾斜させられる。図６のフローチャートで表されるリーン角制御プログラムは、予め定められた設定時間毎に実行される。
ステップ１（Ｓ１と略称する。他のステップについても同様である）において、メインスイッチ１８８がＯＮであるか否かが判定される。メインスイッチ１８８がＯＮである場合には、Ｓ２において、リーンアクチュエータ５０が正常に作動可能な状態であるか否かが判定される。正常に作動可能な状態にある場合には、Ｓ３において、リーンロック装置６２のソレノイド１２０が励磁させられることにより、リーンロック装置６２がアンロック状態とされる。図８(a)に示すように、ロック部材７２，７４が退避位置に保持される。それにより、出力軸５８の回転が許容される。【００２１】
次に、Ｓ４において、操作量φ、車速Ｖ、ヨーレイトγ等が検出され、それら操作量φ、車速Ｖ、ヨーレイトγ等に基づいて、リーン角θが決定され、リーンアクチュエータ５０の回転角度が決定され、Ｓ５において、それに応じて、リーンモータ５２が制御される。
具体的には、操舵量φ、車速Ｖ、ヨーレイトγ等に基づいて旋回半径が取得され、遠心力が求められる。一方、旋回中に、車両の重心は旋回外方へ移動させられるが、車体１６が旋回内側へ傾斜させられると、重心が旋回内側へ移動させられるため、重心は、車体１６が傾斜させられない場合に比較して、旋回内側に位置することになる。重心の位置は、旋回状態と傾斜角度とで決まる。
また、旋回中に車体１６を傾斜させた場合に、車両に作用する遠心力、重力および重心の位置に基づけば、これらの力の合力の大きさ、向きが求められるのであり、本実施例においては、合力Ｆのうちシーソーバー２０に作用する力の向きが、図７(b)の矢印Ｆに示す向きとなるように、車体１６の路面の法線に対する傾斜角度であるリーン角が求められ、リーンアクチュエータ５０の回転角度（車体１６とシーソーバー２０との相対角度）が求められる。
このように、本実施例において、車体１６を旋回内側へ傾斜させることにより、重心の旋回外方への移動を抑制することができ、かつ、左側車輪１０，右側車輪１２に作用する荷重を同じとすることができる。それにより、旋回安定性を向上させることができる。
また、左右前輪１０，１２も傾斜するが、左右前輪１０，１２の傾斜角度は、車体１６のリーン角と、サスペンジョン２２とで決まる。
さらに、シーソーバー２０に作用する力は、左右輪１０，１２に分配されるため、リーンアクチュエータ５０の出力軸５８に作用する力を小さくすることができる。その結果、リーンアクチュエータ５０を、出力が小さいものとすることができ、リーンアクチュエータ５０の小形化を図ることができ、消費電力の低減を図ることができる。
なお、図７(b)において、車体１６が傾斜させられた場合の車両の状態がよくわかるように、傾斜角度を大きめに記載した（後述する図９においても同様である）。【００２２】
一方、メインスイッチ１８８がＯＦＦである場合、あるいは、リーンアクチュエータ５０を正常に作動できない場合には、Ｓ６において、リーンロック装置６２がロック状態とされる。ソレノイド１２０が消磁され、ロック部材７２，７４の前進（作用位置への移動）が許容される。ソレノイド１２０は、制御により消磁される場合と、電気系統の異常等に起因して電流が供給されなくなって、消磁される場合とがある。
リーンアクチュエータ５０が正常に作動できない場合等には、ソレノイド１２０が消磁されることにより、退避位置方向への力が作用しなくなり、ロック部材７２，７４の作用位置への移動が許容される。その時点において、リーンアクチュエータ５０が中立位置にある場合には、図８(c)に示すように、ロック部材７２，７４が大径部９６の両側において先端面１１０が小径部９８の外周面に近接する位置、すなわち、大径部９６の外周面と小径部９８の外周面との間の位置まで前進させられる。それにより、出力軸５８の回転が阻止される。【００２３】
それに対して、リーンアクチュエータ５０が中立位置にない場合、例えば、中立位置から一方向へ回転させられた状態にある場合には、図８(b)に示すように、一方のロック部材７２は作用位置まで移動させられるが、他方のロック部材７４は大径部９６の外周面によって作用位置への移動が阻止された状態にある。具体的には、中立位置に対して、出力軸５８の大径部９６が位置しない側のロック部材７２の前進が許容され、大径部９６側のロック部材７４の前進が阻止される。この状態において、大径部９６のロック部材９２とは反対側への回転は、ストッパ９０に制限され、ロック部材９２に向かう方向への回転は、ロック部材９２によって制限されるのであり、中立位置を超える回転はロック部材７２によって阻止される。その結果、出力軸５８を中立位置へ移動させることができるのであり、図８(c)に示すように、ロック部材７４の作用位置への移動も許容され、出力軸５８の回転が阻止される。
このように、リーンロック装置６２において、ロック部材７２，７４が、出力軸５８の中立位置において、それの大径部９６の両側、換言すれば、ストッパ９０と大径部９６との間に、それぞれ保持されるため、ロック部材７２，７４の作用位置において、出力軸５８の回転を良好に阻止することができ、出力軸５８を、中立位置においてロック状態に保持することができる。
【実施例２】
【００２４】
実施例１においては、シーソーバー２０が直線形状を成したものであったが、本実施例においては、シーソーバー２００がＶ字形状を成したものとされる。
図９(a)に示すように、シーソーバー２００は、屈曲部である長手方向の中心２００Ｃにおいて、車体１６に相対回動可能に保持され、左側端部２００Ｌ，右側端部２００Ｒにおいて、左右輪１０，１２のストラット３２にそれぞれ係合させられるが、中立位置において、両端部２００Ｌ，Ｒは、中心２００Ｃの上方に位置する。
図９(b)に示すように、リーンアクチュエータ５０の制御により、車体１６が傾斜させられ、旋回安定性を向上させることができる。【００２５】
次に、Ｖ字形状を成したシーソーバー２００と直線形状を成したシーソーバー２０とを比較して説明する。
図９(a)〜(d)に示すように、シーソーバーが搭載された車両においてトレッドＴが同じである場合等には、シーソーバー２０，２００とで、両端部間の正面から見た場合の距離Ｔ１，Ｔ２は互いに同じとされる（Ｔ１＝Ｔ２）。
その場合には、Ｖ字形状を成したシーソーバー２００の方が長手方向の長さが長いものとなり、シーソーバー２００の回動半径ｒ１はシーソーバー２０の回動半径ｒ２より大きくなる（ｒ１＞ｒ２）。また、リーン角の制御範囲内において、シーソーバー２００の端部２００Ｌ，Ｒは、両方とも、回動半径ｒ１で決まる円の上半分の範囲内で移動するが、シーソーバー２０の端部２０Ｌ，Ｒの一方は、中立位置からの回動に伴って、回動半径ｒ２で決まる円の上方へ移動し、他方が下方へ移動する。その結果、車体１６のリーン角θが同じ場合に、両端部の上下方向の移動量がシーソーバー２００の方が小さくなり、その分、重心の移動量（車高の変化量）Δｄｇが小さくなり（Δｄｇ１＜Δｄｇ２）、車体１６を旋回内側へ傾斜させた場合の乗り心地の低下を抑制することができる。【００２６】
また、両端部の左右方向の移動量も、回転半径が大きい分、シーソーバー２００の方が小さくなる。その結果、シーソーバー２００を用いた方が、車体１６の傾斜の前後の車輪のキャンバ角θｔの変化量が小さくなるため、傾斜後のキャンバ角θｔが小さくなり（θｔ１＜θｔ２）、旋回外側の車輪のキャンパ角が過大になることを良好に抑制することができる。
キャンバ角は、タイヤとの関係で、適正な範囲が決められているため、キャンバ角が大きすぎることは望ましくない。それに対して、シーソーバー２００によれば、キャンバ角が過大になることを回避することができ、適正な大きさにすることができる。
【実施例３】
【００２７】
なお、リーンロック装置の構造は問わない。
本実施例においては、リーンロック装置３００が設けられる。リーンロック装置３００は、ロック部材３０２と、リーンロックアクチュエータ３０４とを１つずつ含む。ハウジング３０６には軸線Ａ方向に延びる貫通穴３０８が形成され、貫通穴３０８には、リーンアクチュエータ５０の出力軸３１０が配設される。出力軸３１０の外周部には、ロック部材３０２の嵌合穴である凹部３１２が１つ形成されるとともに、その凹部３１２の両側に大径部３１４，３１６が形成される。そして、この大径部３１４，３１６がストッパ３２０と当接することにより、出力軸３１０の回転限度が規定される。本実施例においては、中立位置からの出力軸３１０の回転許容角度は９０°以下とされている。また、ハウジング３０６には貫通穴３０８に連通し、かつ、半径方向に延びる嵌合穴３２２が形成され、嵌合穴３２２に、ロック部材３０２が摺動可能に嵌合される。嵌合穴３２２は、出力軸３１０の中立位置において、凹部３１２に対向する位置に設けられる。さらに、出力軸３１０の大径部３１４，３１６は、大径部３１４がストッパ３２０と当接した状態で他方の大径部３１６が嵌合穴３２２を塞ぐ位置にあり、大径部３１６がストッパ３２０と当接した状態で大径部３１４が嵌合穴３２２を塞ぐ位置に設けられるのであり、ロック部材３０２は、これら一対の大径部３１４，３１６の間において作用位置への移動が許容されるようにされている。
一方、リーンロックアクチュエータ３０４は、ソレノイド３３０とスプリング３３２とを含み、ソレノイド３３０の出力ロッドに、ロック部材３０２の後端部が軸方向に相対移動不能に（相対回動を多少許容する状態で）係合させられる。また、スプリング３３２は、引っ張りスプリングであり、ロック部材３０２を前進方向に付勢する。
ソレノイド３３０が励磁させられると、スプリング３３２の付勢力に抗して、ロック部材３０２が、先端３４０が貫通穴３０８の外側に位置する退避位置まで移動させられ、退避位置で保持される。
それに対して、ソレノイド３３０が消磁させられると、ロック部材３０２の作用位置への移動が許容される。ロック部材３０２が凹部３１２に対向すると、凹部３１２に嵌合するのであり、出力軸３１０の回転が阻止される。
【実施例４】
【００２８】
ソレノイドは、複数のコイルを含むものとすることができる。その場合の一例を図１１に示す。図１１において、ソレノイド３９８には、２つのコイル４００，４０２が含まれ、それぞれ、電源４０４，４０６に接続される。コイルと電源との組が２組設けられるのである。これら２つのコイル４００，４０２は、電流が供給されると同じ向きに電磁駆動力が作用する状態で設けられ、プランジャ４０８は、２つのコイル４００，４０２のうちの少なくとも一方により作動可能とされる。プランジャ４０８の先端が出力ロッド４１０であり、実施例１に記載の伝達駆動部材１２２あるいは実施例３に記載のロック部材３０２に係合させられる。
このように、コイルと電源との組が２組設けられるため、２つのコイル４００，４０２のいずれか一方に断線が生じても、また、２つの電源４０４，４０６のいずれか一方の異常に起因してコイルに電流を供給できなくなっても、ロック部材を退避位置に保持することが可能となる。その結果、リーンアクチュエータ５０が正常であるにも係わらず、リーンロックアクチュエータの異常により、リーンアクチュエータ５０がロックされることを良好に防止することができる。
なお、コイルは３つ以上設けることもできる。
また、複数のコイルは、互いに並列に配設しても直列に配設してもよい。複数のコイルのうちの任意の１つによって、ロック部材を同様に作動可能に配設されればよいのである。
さらに、コイルと電源との組を複数組設けることは不可欠ではなく、１つのコイルに複数の電源が接続されるようにしたり、１つの電源に複数のコイルが接続されるようにしても、コイルと電源との組が１組である場合に比較して、リーンロック装置の信頼性を向上させることができる。【００２９】
なお、リーンアクチュエータ５０の制御の態様は、上記実施例における態様に限定されない。リーンアクチュエータ５０が、左側車輪１０と右側車輪１２とに加えられる荷重が同じになるように制御されるようにすることは不可欠ではなく、合力の作用線が、所望の領域内を通るように制御されるようにすることができる。
また、上記実施例においては、リーンロックアクチュエータ５０，３０４がソレノイド２１０，３３０を含むものであったが、シリンダや電動モータ等を含むものとすることができる。
さらに、シーソーバーの形状は問わず、Ｕ字型を成したものとすることができる。
また、リーンロック装置を設けることは不可欠ではない。さらに、リーンロック装置は、リーンアクチュエータ５０以外のリーンアクチュエータと組み合わせて用いることもできる等、本発明は、上述に記載の態様の他、当業者の知識に基づいて種々の変更、改良を施した態様で実施することができる。
【符号の説明】
【００３０】
１０，１２：車輪  １６：車体  ２０：シーソーバー  ３０：リーディングアーム  ３２：ストラット  ５０；リーンアクチュエータ  ５２；リーンモータ  ５８：出力軸  ６０；ハウジング  ６２：リーンロック装置  ７２，７４：ロック部材  ７６，７８：リーンロックアクチュエータ  ９０：ストッパ  ９６：大径部  ９８：小径部  １２０：ソレノイド  １２２：駆動伝達部材  １４２：スプリング  ３００：リーンロック装置  ３０２：ロック部材  ３０４：リーンアクチュエータ  ３１０：出力軸  ３１２：凹部  ３３０：ソレノイド  ３３２：スプリング
【図１】
2012049724.tif 000003
【図２】
2012049724.tif 000004
【図３】
2012049724.tif 000005
【図４】
2012049724.tif 000006
【図５】
2012049724.tif 000007
【図６】
2012049724.tif 000008
【図７】
2012049724.tif 000009
【図８】
2012049724.tif 000010
【図９】
2012049724.tif 000011
【図１０】
2012049724.tif 000012
【図１１】
2012049724.tif 000013
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
長手形状を成し、車両の幅方向に離間して設けられた左側車輪および右側車輪を、それぞれ、上下方向の相対移動を許容する状態で保持する左右輪保持部材と、
その左右輪保持部材と前記車両の車体との間に設けられ、それら前記左右輪保持部材と前記車体とを相対回動させることにより、少なくとも前記車体を路面の法線に対して左右方向に傾斜させるリーンアクチュエータと
を含み、
前記リーンアクチュエータの出力軸が前記左右輪保持部材に固定されるとともに、前記リーンアクチュエータの本体に前記車体が固定され、かつ、
前記左側車輪および前記右側車輪が、それぞれ、ストラットを介して前記左右輪保持部材に保持され、その左右輪保持部材が、車両の正面から見た場合に湾曲した形状を成し、前記左右輪保持部材と前記車体との相対回動位置が中立位置である場合に、前記左右輪保持部材の前記左側車輪および右側車輪の前記ストラットの各々との係合部が、前記リーンアクチュエータの出力軸との固定部より上方に位置する姿勢で配設されたことを特徴とする車体傾斜装置。
【請求項２】
前記左側車輪および右側車輪が、それぞれ、リーディングアームを介して前記車体に保持された請求項１に記載の車体傾斜装置。
【請求項３】
当該車体傾斜装置が、前記リーンアクチュエータが正常に作動できない場合に、前記リーンアクチュエータの中立位置で、前記リーンアクチュエータをロックするリーンロック装置を含む請求項１または２に記載の車体傾斜装置。
【請求項４】
前記出力軸の前記中立位置に対応する位置を中心とする回転角度が、それぞれ、両方向に１８０°以下とされ、前記リーンロック装置が、前記出力軸の前記中立位置に対応する位置で、前記出力軸のロックする回転ロック部を含む請求項３に記載の車体傾斜装置。
【請求項５】
前記リーンロック装置が、(a)退避位置と作用位置とに移動可能な少なくとも１つのロック部材と、(b)それら少なくとも１つのロック部材を前記作用位置へ向かう方向に付勢する付勢部材と、(c)前記リーンアクチュエータが正常である場合に、前記少なくとも１つのロック部材を前記付勢部材の付勢力に抗して前記退避位置に保持し、前記リーンアクチュエータが正常に作動できない場合に、前記少なくとも１つのロック部材の前記作用位置への移動を許容するリーンロックアクチュエータとを含む請求項３または４に記載の車体傾斜装置。
【請求項６】
前記出力軸が周方向に並んだ状態で互いに半径が異なる大径部と小径部とを備え、前記リーンロック装置が前記ロック部材を２つ含み、それら２つのロック部材の各々が、ハウジングの、前記出力軸が前記中立位置に対応する位置にある状態で、前記出力軸の前記大径部の両側に対応する位置において移動可能に保持された請求項５に記載の車体傾斜装置。
【請求項７】
前記出力軸がそれの外周部に設けられた１つの凹部を含み、前記リーンロック装置が前記ロック部材を１つ含み、その１つのロック部材が、ハウジングの、前記出力軸が前記中立位置に対応する位置にある状態で、前記凹部に嵌合可能な位置において移動可能に保持された請求項５に記載の車体傾斜装置。
【請求項８】
前記リーンロックアクチュエータが、前記少なくとも１つのロック部材に駆動力を付与するソレノイドを含む請求項５ないし７のいずれか１つに記載の車体傾斜装置。
【請求項９】
長手形状を成し、車両の幅方向に離間して設けられた左側車輪および右側車輪を、それぞれ、上下方向の相対移動を許容する状態で保持する左右輪保持部材と、
その左右輪保持部材と前記車両の車体との間に設けられ、それら前記左右輪保持部材と前記車体とを相対回動させることにより、少なくとも前記車体を路面の法線に対して左右方向に傾斜させるリーンアクチュエータと
を含み、
前記リーンアクチュエータの出力軸が前記左右輪保持部材に固定されるとともに、前記リーンアクチュエータの本体に前記車体が固定され、
当該車体傾斜装置が、前記リーンアクチュエータが正常に作動できない場合に、前記リーンアクチュエータの中立位置で、前記リーンアクチュエータをロックするリーンロック装置を含み、
そのリーンロック装置が、(a)退避位置と作用位置とに移動可能な少なくとも１つのロック部材と、(b)それら少なくとも１つのロック部材を前記作用位置へ向かう方向に付勢する付勢部材と、(c)前記リーンアクチュエータが正常である場合に、前記少なくとも１つのロック部材を前記付勢部材の付勢力に抗して前記退避位置に保持し、前記リーンアクチュエータが正常に作動できない場合に、前記少なくとも１つのロック部材の前記作用位置への移動を許容するリーンロックアクチュエータとを含むことを特徴とする車体傾斜装置。
【請求項１０】
前記左右輪保持部材が、前記車両の幅方向に、直線状に延びた左右輪保持バーである請求項９に記載の車体傾斜装置。
【国際調査報告】
2012049724.tif 000014
2012049724.tif 000015
2012049724.tif 000016
2012049724.tif 000017
2012049724.tif 000018
2012049724.tif 000019